【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
低減された周期性を有する新キャリアタイプを含むアクティブ化パラメータで小型セルを、基地局を介して、構成することと、
前記新キャリアタイプと前記低減された周期性とに対応する時間制限付き測定値でユーザ機器（ＵＥ）を、前記基地局を介して、構成することと、
前記ＵＥから小型セル信号測定値を、前記基地局において、受信することと、
前記小型セル信号測定値に応答してアクティブ化シーケンスを、前記基地局において、開始することと
を備える、ワイヤレス通信の方法。
【請求項２】
前記アクティブ化パラメータが、前記低減された周期性をもつオーバーヘッド信号、前記低減された周期性をもつ基準信号、またはそれらの組合せのうちの少なくとも１つを構成する、請求項１に記載の方法。
【請求項３】
前記オーバーヘッド信号が、前記基地局からのオーバーヘッド信号と重複するように構成された、請求項２に記載の方法。
【請求項４】
前記基準信号が、小型セルごとに別様に構成された、請求項２に記載の方法。
【請求項５】
メモリと、
前記メモリに結合された少なくとも１つのプロセッサと
を備える、ワイヤレス通信のための基地局であって、前記少なくとも１つのプロセッサは、
低減された周期性を有する新キャリアタイプを含むアクティブ化パラメータで小型セルを構成することと、
前記新キャリアタイプと前記低減された周期性とに対応する時間制限付き測定値でユーザ機器（ＵＥ）を構成することと、
前記ＵＥから小型セル信号測定値を受信することと、
前記小型セル信号測定値に応答してアクティブ化シーケンスを開始することと
を行うように構成された、
基地局。
【請求項６】
前記アクティブ化パラメータが、前記低減された周期性をもつオーバーヘッド信号、前記低減された周期性をもつ基準信号、またはそれらの組合せのうちの少なくとも１つを構成する、請求項５に記載の基地局。
【請求項７】
前記オーバーヘッド信号が、前記基地局からのオーバーヘッド信号と重複するように構成された、請求項６に記載の基地局。
【請求項８】
前記基準信号が、小型セルごとに別様に構成された、請求項６に記載の基地局。
【請求項９】
低減された周期性を有する新キャリアタイプを含むアクティブ化パラメータで小型セルを、基地局を介して、構成するための手段と、
前記新キャリアタイプと前記低減された周期性とに対応する時間制限付き測定値でユーザ機器（ＵＥ）を、前記基地局を介して、構成するための手段と、
前記ＵＥから小型セル信号測定値を、前記基地局において、受信するための手段と、
前記小型セル信号測定値に応答してアクティブ化シーケンスを、前記基地局において、開始するための手段と
を備える、ワイヤレス通信のための装置。
【請求項１０】
前記アクティブ化パラメータが、前記低減された周期性をもつオーバーヘッド信号、前記低減された周期性をもつ基準信号、またはそれらの組合せのうちの少なくとも１つを構成する、請求項９に記載の装置。
【請求項１１】
前記オーバーヘッド信号が、前記基地局からのオーバーヘッド信号と重複するように構成された、請求項１０に記載の装置。
【請求項１２】
前記基準信号が、小型セルごとに別様に構成された、請求項１０に記載の装置。
【請求項１３】
ワイヤレス通信のためのコンピュータプログラム製品であって、前記コンピュータプログラム製品が、
プログラムコードを記録した非一時的コンピュータ可読媒体を備え、前記プログラムコードは、
低減された周期性を有する新キャリアタイプを含むアクティブ化パラメータで小型セルを、基地局を介して、構成するためのプログラムコードと、
前記新キャリアタイプと前記低減された周期性とに対応する時間制限付き測定値でユーザ機器（ＵＥ）を、前記基地局を介して、構成するためのプログラムコードと、
前記ＵＥから小型セル信号測定値を、前記基地局において、受信するためのプログラムコードと、
前記小型セル信号測定値に応答してアクティブ化シーケンスを、前記基地局において、開始するためのプログラムコードと
を備える、
コンピュータプログラム製品。
【手続補正２】
【補正対象書類名】明細書
【補正対象項目名】００８８
【補正方法】変更
【補正の内容】
【００８８】
[0099]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１］
アクティブ化パラメータで小型セルを構成することであって、前記アクティブ化パラメータが、低減された周期性を有する新キャリアタイプを含む、構成することと、
時間制限付き測定値でユーザ機器（ＵＥ）を構成することであって、前記時間制限付き測定値が前記新キャリアタイプと前記低減された周期性とに対応する、構成することと、
前記ＵＥから小型セル信号測定値を受信することと、
前記小型セル信号測定値に応答してアクティブ化シーケンスを開始することと
を備える、ワイヤレス通信の方法。
［Ｃ２］
前記アクティブ化パラメータが、
前記低減された周期性をもつオーバーヘッド信号、前記低減された周期性をもつ基準信号、またはそれらの組合せ
のうちの１つまたは複数を構成する、Ｃ１に記載の方法。
［Ｃ３］
前記オーバーヘッド信号が、ドナーｅノードＢからのオーバーヘッド信号と重複するように構成された、Ｃ２に記載の方法。
［Ｃ４］
前記基準信号が、小型セルごとに別様に構成された、Ｃ２に記載の方法。
［Ｃ５］
アクティブ化パラメータを受信することと、
前記アクティブ化パラメータに少なくとも部分的に基づいてアクティブユーザ機器（ＵＥ）の近接を検出することと、
新キャリアタイプでアクティブ化することと
を備える、ワイヤレス通信の方法。
［Ｃ６］
前記アクティブＵＥが検出されたときにアクティブ化要求を送信することをさらに備える、Ｃ５に記載の方法。
［Ｃ７］
更新されたダウンリンク送信パラメータをもつアクティブ化許可を受信することと、
前記更新されたダウンリンク送信パラメータでアクティブ化することと
をさらに備える、Ｃ６に記載の方法。
［Ｃ８］
前記アクティブ化することが、低減された周期性でアクティブ化することをさらに備える、Ｃ５に記載の方法。
［Ｃ９］
前記近接を検出することが、前記ＵＥから物理ランダムアクセスチャネル（ＰＲＡＣＨ）シグネチャシーケンスを受信することであって、前記ＰＲＡＣＨシグネチャシーケンスがランダムアクセスプロシージャとは無関係である、受信することを備える、Ｃ５に記載の方法。
［Ｃ１０］
メモリと、
前記メモリに結合された少なくとも１つのプロセッサと
を備える、ワイヤレス通信のための装置であって、前記少なくとも１つのプロセッサは、
アクティブ化パラメータで小型セルを構成することであって、前記アクティブ化パラメータが、低減された周期性を有する新キャリアタイプを含む、構成することと、
時間制限付き測定値でユーザ機器（ＵＥ）を構成することであって、前記時間制限付き測定値が前記新キャリアタイプと前記低減された周期性とに対応する、構成することと、
前記ＵＥから小型セル信号測定値を受信することと、
前記小型セル信号測定値に応答してアクティブ化シーケンスを開始することと
を行うように構成された、
装置。
［Ｃ１１］
前記アクティブ化パラメータが、前記低減された周期性をもつオーバーヘッド信号、前記低減された周期性をもつ基準信号、またはそれらの組合せのうちの１つまたは複数を構成する、Ｃ１０に記載の装置。
［Ｃ１２］
前記オーバーヘッド信号が、ドナーｅノードＢからのオーバーヘッド信号と重複するように構成された、Ｃ１１に記載の装置。
［Ｃ１３］
前記基準信号が、小型セルごとに別様に構成された、Ｃ１１に記載の装置。
［Ｃ１４］
メモリと、
前記メモリに結合された少なくとも１つのプロセッサと
を備える、ワイヤレス通信のための装置であって、前記少なくとも１つのプロセッサが、
アクティブ化パラメータを受信することと、
前記アクティブ化パラメータに少なくとも部分的に基づいてアクティブユーザ機器（ＵＥ）の近接を検出することと、
新キャリアタイプでアクティブ化することと
を行うように構成された、
装置。
［Ｃ１５］
前記少なくとも１つのプロセッサは、前記アクティブＵＥが検出されたときにアクティブ化要求を送信するようにさらに構成された、Ｃ１４に記載の装置。
［Ｃ１６］
前記少なくとも１つのプロセッサが、
更新されたダウンリンク送信パラメータをもつアクティブ化許可を受信することと、
前記更新されたダウンリンク送信パラメータでアクティブ化することと
を行うようにさらに構成された、Ｃ１５に記載の装置。
［Ｃ１７］
前記少なくとも１つのプロセッサが、低減された周期性でアクティブ化するようにさらに構成された、Ｃ１４に記載の装置。
［Ｃ１８］
前記少なくとも１つのプロセッサは、前記ＵＥから物理ランダムアクセスチャネル（ＰＲＡＣＨ）シグネチャシーケンスを受信することであって、前記ＰＲＡＣＨシグネチャシーケンスがランダムアクセスプロシージャとは無関係である、受信することによって、前記近接を検出するようにさらに構成された、Ｃ１４に記載の装置。
［Ｃ１９］
アクティブ化パラメータで小型セルを構成するための手段であって、前記アクティブ化パラメータが、低減された周期性を有する新キャリアタイプを含む、構成するための手段と、
時間制限付き測定値でユーザ機器（ＵＥ）を構成するための手段であって、前記時間制限付き測定値が前記新キャリアタイプと前記低減された周期性とに対応する、構成するための手段と、
前記ＵＥから小型セル信号測定値を受信するための手段と、
前記小型セル信号測定値に応答してアクティブ化シーケンスを開始するための手段と
を備える、ワイヤレス通信のための装置。
［Ｃ２０］
前記アクティブ化パラメータが、前記低減された周期性をもつオーバーヘッド信号、前記低減された周期性をもつ基準信号、またはそれらの組合せのうちの１つまたは複数を構成する、Ｃ１９に記載の装置。
［Ｃ２１］
前記オーバーヘッド信号が、ドナーｅノードＢからのオーバーヘッド信号と重複するように構成された、Ｃ２０に記載の装置。
［Ｃ２２］
前記基準信号が、小型セルごとに別様に構成された、Ｃ２０に記載の装置。
［Ｃ２３］
アクティブ化パラメータを受信するための手段と、
前記アクティブ化パラメータに少なくとも部分的に基づいてアクティブユーザ機器（ＵＥ）の近接を検出するための手段と、
新キャリアタイプでアクティブ化するための手段と
を備える、ワイヤレス通信のための装置。
［Ｃ２４］
前記アクティブＵＥが検出されたときにアクティブ化要求を送信するための手段をさらに備える、Ｃ２３に記載の装置。
［Ｃ２５］
更新されたダウンリンク送信パラメータをもつアクティブ化許可を受信するための手段と、
前記更新されたダウンリンク送信パラメータでアクティブ化するための手段と
をさらに備える、Ｃ２４に記載の装置。
［Ｃ２６］
前記アクティブ化することが、低減された周期性でアクティブ化することをさらに備える、Ｃ２３に記載の装置。
［Ｃ２７］
前記近接を検出することは、前記ＵＥから物理ランダムアクセスチャネル（ＰＲＡＣＨ）シグネチャシーケンスを受信することであって、前記ＰＲＡＣＨシグネチャシーケンスがランダムアクセスプロシージャとは無関係である、受信することを備える、Ｃ２３に記載の装置。
［Ｃ２８］
ワイヤレス通信のためのコンピュータプログラム製品であって、前記コンピュータプログラム製品が、
プログラムコードを記録した非一時的コンピュータ可読媒体を備え、前記プログラムコードは、
アクティブ化パラメータで小型セルを構成するためのプログラムコードであって、前記アクティブ化パラメータが、低減された周期性を有する新キャリアタイプを含む、構成するためのプログラムコードと、
時間制限付き測定値でユーザ機器（ＵＥ）を構成するためのプログラムコードであって、前記時間制限付き測定値が前記新キャリアタイプと前記低減された周期性とに対応する、構成するためのプログラムコードと、
前記ＵＥから小型セル信号測定値を受信するためのプログラムコードと、
前記小型セル信号測定値に応答してアクティブ化シーケンスを開始するためのプログラムコードと
を備える、
コンピュータプログラム製品。
［Ｃ２９］
ワイヤレス通信のためのコンピュータプログラム製品であって、前記コンピュータプログラム製品が、
プログラムコードを記録した非一時的コンピュータ可読媒体を備え、前記プログラムコードが、
アクティブ化パラメータを受信するためのプログラムコードと、
前記アクティブ化パラメータに少なくとも部分的に基づいてアクティブユーザ機器（ＵＥ）の近接を検出するためのプログラムコードと、
新キャリアタイプでアクティブ化するためのプログラムコードと
を備える、
コンピュータプログラム製品。